(57)【特許請求の範囲】
【請求項１】
平面視矩形状のカウンター部と、
平面視略楕円形状をなし、長軸が該カウンター部の一の対角線に沿うようにして、該カウンター部に斜めに配設されるシンク部と、
該カウンター部の手前側、かつ該シンク部以外の左端又は右端の空きスペースに、集合して配設される水吐出部と、
シンク部の底面に排水口とを備え、
水吐出部と排水口とを前後に同一直線状に並設した構成とし、
該水吐出部が、ハンドシャワーおよび給水栓からなり、
該シンク部が、手前側に向かって漸次拡開した形状となされており、
該カウンター部の手前側に、水はね防止カバーが起立して形成されており、
該シンク部の底面に、排水口を除いて全面に滑り止めのための凸起が多数形成されており、
シンク部の底面は、水が留まらず排水口に向かって流れる程度の勾配を有する水平なものであることを特徴とする多目的シンク。
【発明の詳細な説明】
【技術分野】
【０００１】
本発明は、犬や猫等のペット、あるいはペットの食器、土が付着したままの野菜、雑巾、灰皿等の洗浄を目的として設けられる多目的シンクに関する。
【背景技術】
【０００２】
一般家庭で飼育されている犬や猫等のペットの世話の中で、もっとも重労働で手間のかかるものはペットの洗浄であるが、従来、一般家庭でのペットの洗浄には、浴室が用いられることが多かった。
しかしながら、浴室でペットの洗浄を行うと、臭いが付いたり抜け毛が詰まり易く、また、洗浄を行う者にとってもしゃがんだ姿勢等を保持するのが辛く、水滴の飛散によってびしょ濡れになってしまうといった問題があった。
【０００３】
これに対して、ペットの洗浄を容易に行うことができ、かつ水滴の飛散を防止可能としたペット洗浄用のシンクを提供するものとして、例えば特許文献１がある。
【０００４】
【特許文献１】特開２００４−２８５７３４号公報
【発明の開示】
【発明が解決しようとする課題】
【０００５】
ところが、特許文献１に記載されるシンクでは、小型犬ないし中型犬等のペットをシンク部内に入れて洗浄を行うために、シンク全体の幅サイズも比較的大きくする必要があり、住宅内部等の設置面積の限られた場所においては採用を断念せざるを得ない場合があった。
【０００６】
また、特許文献１に記載されるシンクでは、水吐出量操作手段としてのシングルレバーがシンク部の奥側に配設されるため、洗浄作業中のシングルレバーの操作を行い難く、特に子どもや高齢者あるいは車いすに座った者等にとってはシングルレバー自体に手が届き難いという問題があった。
【０００７】
そこで、本発明は、上記問題に鑑みてなされたものであり、従来のものよりも相当のコンパクト化を図ることが可能で、しかもきわめて高い操作性を持ち、誰にでも簡単に洗浄作業を行うことを可能とする多目的シンクを提供することを目的としている。
【課題を解決するための手段】
【０００８】
上記の課題を解決するために、請求項１に記載の多目的シンクは、平面視矩形状のカウンター部と、平面視略楕円形状をなし、長軸が該カウンター部の一の対角線に沿うようにして、該カウンター部に斜めに配設されるシンク部と、該カウンター部の手前側、かつ該シンク部以外の空きスペースに、集合して配設される水吐出部と、を備えたことを要旨とする。
【０００９】
また、請求項２に記載の多目的シンクは、請求項１に記載の構成において、該水吐出部が、ハンドシャワーおよび給水栓からなることを要旨とする。
【００１０】
また、請求項３に記載の多目的シンクは、請求項１または２に記載の構成において、該シンク部が、手前側に向かって漸次拡開した形状となされたことを要旨とする。
【００１１】
また、請求項４に記載の多目的シンクは、請求項１乃至３の何れかに記載の構成において、該カウンター部の手前側に、水はね防止カバーが起立して形成されたことを要旨とする。
【００１２】
また、請求項５に記載の多目的シンクは、請求項１乃至４の何れかに記載の構成において、該シンク部の底面に、滑り止めのための凸起が多数形成されたことを要旨とする。
【発明の効果】
【００１３】
本発明によれば、平面視矩形状のカウンター部と、平面視略楕円形状をなし、長軸が該カウンター部の一の対角線に沿うようにして、該カウンター部に斜めに配設されるシンク部と、該カウンター部の手前側、かつ該シンク部以外の空きスペースに、集合して配設される水吐出部と、を備えて多目的シンクを構成したため、従来のものよりも相当のコンパクト化を図ることが可能で、しかもきわめて高い操作性を持ち、誰にでも簡単に洗浄作業を行うことを可能とするものとなる。
【発明を実施するための最良の形態】
【００１４】
以下、本発明の一実施形態を、図１〜図３に基づいて説明する。図１〜図３は本実施形態に係る多目的シンク１を示す図であり、図１は斜視図、図２は平面図、図３は図２におけるＡ−Ａ線断面図である。
【００１５】
本実施形態に係る多目的シンク１は、図１〜図３に示すように、主としてカウンター部２、シンク部３、水吐出部４を備えて構成されている。
カウンター部２は、平面視矩形状で、多目的シンクの全体的な平面サイズ（投影面積）に略相当する大きさをなし、所定の厚みをもって形成されている。
カウンター部２は、下方の台座６および脚部７によって、使用者が立った姿勢（あるいは座った姿勢）でペットの洗浄作業等を行い易いような高さ位置に固設支持されている。また、足元部分には、棚板８が設けられ、各種の道具類（タオル、洗剤、石鹸、ドライヤー、ブラシなど）を保管できるようになっている。棚板８に替えて、開閉扉付きの収納キャビネット等を付設する構成としてもよい。
さらに、カウンター部２の左右および奥側の外周縁部には、洗浄作業時における汚水の周囲への飛散を防止するための板状の立上り壁９が立設形成されている。
【００１６】
シンク部３は、図２に示すように、平面視略楕円形状をなすが、斜め状態で、つまり楕円形の長軸がカウンター部２の一の対角線Ｌに沿うようにして、カウンター部２に凹設されている。シンク部３は、外形線がカウンター部２の四辺に略内接する程度に大きく開口して配設されており、小型犬ないし中型犬等のペットが入る大きさを有している。
図２〜図３に示すように、シンク部３の底面１０には排水口１２が穿設されており、排水管１３の一端と連通されている。排水管１３は、多目的シンク１が設置される建物等の下水配管（図示せず）に接続されている。
【００１７】
シンク部３は、洗浄されるペットが怖がることなく容易に姿勢を維持できるように、側面１５の傾斜があまり無く、底面１０が略水平（ただし、水が溜まらず排水口１２に向かって流れる程度の勾配を有する）なものであることが好ましい。また、シンク部３の底面１０には、図２〜図３に示すように、滑り止めのための凸起１７を多数形成しておくことが好ましい。シンク部３は、カウンター部２と一体に成形してもよいし、別体にて成形後にカウンター部２に接合するようにしてもよい。
【００１８】
なお、犬等のペットは洗浄による不安感等から、シンク部３内で使用者の方（シンク部３手前側）にできるだけ顔を近づけようとしてすり寄ってくる傾向にある。
よって、例えば図２に示す如く、シンク部３を、手前側に向かって漸次拡開した形状（略タマゴ型またはビーンズ型）に構成することで、ペットの安心感が向上し、作業効率等も良好となる。
【００１９】
水吐出部４は、図１〜図３に示すように、カウンター部２の手前側、かつシンク部３とは左右反対側に位置する空きスペースＳに配設される。空きスペースＳは、上記の通り、カウンター部２にシンク部３を斜めに配置することに伴って前方に形成され得る平面視略三角形状のスペースである。
水吐出部４は、水吐出手段としてのハンドシャワー２０と、水吐出手段を開栓ないし閉栓し、水吐出量や水温等を調節する操作手段としての給水栓２１と、からなり、これらが空きスペースＳに集合して配設されている。ハンドシャワー２０は、普通吐水に切り替えられるものであってもよい。
【００２０】
図３に示すように、本実施形態の水吐出部４では、一例として、給水管２３および給湯管２４を給水栓２１本体下部に接続し、給水栓２１本体内部で湯水を混合して、レバーハンドル２１ａの操作により所望の混合湯水を、送水管２５を介してハンドシャワー２０から吐出可能とした公知の水栓機構を採用している。
なお、ハンドシャワー２０下端部は、図３に示すように、送水管２５と連通するフレキシブルホース２６に接続されており、ハンドシャワー２０を引き出し、フレキシブルホース２６を伸縮させながら、ハンドシャワー２０を所望の位置に移動して使用できるようになっている。また、ハンドシャワー２０を空きスペースＳにおける所定の位置に係止したままで、シンク部３内方に向けて水または温水を吐出させて使用することもでき、この場合には、使用者は両手を自由に使ってペット等の洗浄作業を行える。
【００２１】
図２に示すように、カウンター部２の奥側の、シンク部３を挟んで空きスペースＳと対角に位置する隅角部には、載置台３０が形成されており、洗浄時に使用している石鹸やシャンプー等を一時的に載置できるようになっている。本実施形態のように、水吐出部４と排水口１２とを前後に同一直線状に並設した構成とすることにより、水廻りの納まりが良好となり、施工やメンテナンスを容易に行えるようになるとともに、シンク部３下方の収納空間の増大にも繋がる。
【００２２】
また、本実施形態に係る多目的シンク１では、図１〜図３に示すように、カウンター部２の手前側に、水はね防止カバー３２が起立して形成されている。
水はね防止カバー３２は、カウンター部２の前面２ａから連続して設けられており、上縁が円弧を描くとともに、手前側に向かって緩やかに湾曲して膨らんだ球面状をなしている。このような水はね防止カバー３２を設けることにより、スムーズな洗浄作業を妨げることなく、手前側への汚水の飛散を防止することができる。水はね防止カバー３２を、カウンター部２とは別体に構成し、カウンター部２の前面ないしシンク部３の手前側内側面に取り外し可能に装着するようにしてもよい。
【００２３】
多目的シンク１の各要素を構成するための構成材料としては、特に制限は無く、例えばセラミック、樹脂、陶器、ステンレス等金属、非鉄金属等を必要に応じて選定することができる。
【００２４】
上記によって構成された多目的シンク１は、以下のようにして用いられる。すなわち、ペット等をシンク部３内に移動させた後、給水栓２１を操作してハンドシャワー２０から水または温水を吐出し、ペット等に噴射しつつ洗浄作業を行う。このとき、使用者は、カウンター部２の手前方に立ち、カウンター部２に正対した状態でそのまま前方に手を伸ばして使用する。ペットがいない家庭等では、スロップシンクとして、例えばスニーカーやサッカーボール、掃除用具、あるいは野菜等のさまざまな物品を洗浄するために用いることができる。
【００２５】
このような多目的シンク１によれば、シンク部３の広さを確保しながら、従来のものよりも相当のコンパクト化を図ることが可能となる。具体的には、本実施形態でカウンター部２の幅Ｗ１＝６００ｍｍ、奥行きＤ＝５４０ｍｍとして形成した場合、シンク部３の幅Ｗ２＝７００ｍｍ程度のものを得ることができる（図２参照）。従来型シンクでは、シンク部の幅７００ｍｍを確保するためには、カウンター部の幅として少なくとも７５０ｍｍ程度が必要であった。本実施形態の多目的シンク１により、カウンター部２の奥行きを殆ど変更することなく、カウンター部２の幅Ｗ１を約１５０ｍｍも縮小することが可能となる。
【００２６】
上記のことから、多目的シンク１は、例えば、設置面積が限られたものとなりがちな戸建住宅内や集合住宅内への設置が最適である。中でも、多目的シンク１の左右および背後に、壁面あるいは洗面化粧台、収納家具、洗濯機の各種設備等が隣接して配置されるような状況下で、特にその効果を発揮し得るものである。多目的シンク１によれば、従来は採用を断念せざるを得なかったような場所にも設置することができるようになる。多目的シンク１は、フローリング床やシート貼床に限らず、土間床などにも設置することができる。
【００２７】
さらに、本実施形態の多目的シンク１によれば、ハンドシャワー２０および給水栓２１からなる水吐出部４を空きスペースＳに余裕をもって配設することができ、ハンドシャワー２０および給水栓２１の双方が手前側にまとまって位置することになるため、初期型の多目的シンク（特開２００４−２８５７３４）と比べて、操作性が良好となり、子どもや高齢者あるいは車いすに座った者等であっても容易に手を伸ばして利用できる。
【００２８】
本実施形態の変形例を図４〜図５に示す。上記実施形態と共通する構成については、同一の符号を付してその説明を省略する。
図４（ａ）（ｂ）に示す変形例は、上収納部４２と下収納部４３とを付設した多目的シンク４１である。この変形例では、奥板４５と左右の側板４６、４６によって平面視コの字型の構造体が形成されており、この構造体の内部空間上部に上収納部４２、内部空間下部に下収納部４３が配置されるとともに、下収納部４３の上部にカウンター部２およびシンク部３が設けられている。
【００２９】
また、図５（ａ）（ｂ）に示す変形例は、洗面化粧台５２を一体化した多目的シンク５１である。この変形例では、洗面ボウル５３を有する洗面化粧台５２と、シンク部３を有するカウンター部２とが並設された構成となっており、多目的シンク５１が全体として横長の直方体形状をなすとともに、長辺部となる奥板５４が上方に延設されて、ミラー５５や照明５６、棚板５７等が適宜配設されている。洗面化粧台５２およびカウンター部２の下部には、引き出し５９と収納棚６０が設けられている。
【００３０】
以上の実施形態の記述は、本発明をこれに限定するものではなく、本発明の要旨を逸脱しない範囲で種々の設計変更等が可能である。
例えば、シンク部３の形状は完全な楕円形である必要はなく、機能面ないしデザイン面等の要求に応じて、楕円形を基調とした様々な形状のものに変形してよい。また、上記楕円形の長軸は、カウンター部２の対角線Ｌ上にぴったりと一致していなくてもよく、本発明の作用効果を奏し得る範囲内で、両者のズレが許容される。
【産業上の利用可能性】
【００３１】
本発明は、従来のものよりも相当のコンパクト化を図ることが可能で、しかもきわめて高い操作性を持ち、誰にでも簡単に洗浄作業を行うことを可能とする多目的シンクを提供するものであり、産業上の利用可能性を有する。
【図面の簡単な説明】
【００３２】
【図１】実施形態に係る多目的シンクを示す斜視図である。
【図２】実施形態に係る多目的シンクを示す平面図である。
【図３】図２におけるＡ−Ａ線断面図である。
【図４】（ａ）変形例を示す正面図、（ｂ）変形例を示す平面図である。
【図５】（ａ）他の変形例を示す正面図、（ｂ）他の変形例を示す平面図である。
【符号の説明】
【００３３】
１  多目的シンク
２  カウンター部
３  シンク部
４  水吐出部
１０  底面
１７  凸起
２０  ハンドシャワー
２１  給水栓
３２  水はね防止カバー
Ｌ  対角線
Ｓ  空きスペース
【図１】
0005272459.tif 000002
【図２】
0005272459.tif 000003
【図３】
0005272459.tif 000004
【図４】
0005272459.tif 000005
【図５】
0005272459.tif 000006